(57)【要約】【課題】収納時に、絡むことなく迅速に折り畳むことができて、かつ、コンパクトに収納できる簡易取り付け区画表示ネットを提供すること。【解決手段】簡易取り付け区画表示ネット１は、横長状の帯状部材１０と、この帯状部材１０を複数の領域１２に区画する複数の線状の区画部材１１と、これら複数の領域１２それぞれに取り付けられる複数の板状のフック部材２０と、複数の領域１２それぞれに取り付けられる複数の板状の錘部材３０と、を備える。帯状部材１０は、複数の区画部材１１を折線として、コンパクトに折り畳むことができる。【選択図】図１
2011174345.tif 000002
【特許請求の範囲】
【請求項１】
一対の支柱間に架け渡されたひも状部材又は棒状部材に取り付けられる簡易取り付け区画表示ネットであって、
横長状の帯状部材と、
前記帯状部材の長手方向に所定間隔をあけて設けられ該帯状部材の幅方向に延びて前記帯状部材を複数の領域に区画する複数の線状の区画部材と、
前記帯状部材の長手方向に沿う一対の側縁のうちの一方の側縁における前記複数の領域それぞれに、該一方の側縁に沿って取り付けられる複数の板状のフック部材と、
前記帯状部材の長手方向に沿う一対の側縁のうちの他方の側縁における前記複数の領域それぞれに、該一方の側縁に沿って取り付けられる複数の板状の錘部材と、を備える簡易取り付け区画表示ネット。
【請求項２】
前記複数のフック部材それぞれは、矩形板状の本体と、該本体における前記帯状部材の長手方向の一端側に位置する側縁から該帯状部材の長手方向の他端側に延びる第１切り欠き部と、該第１切り欠き部に連続して形成され該第１切り欠き部の延びる方向に交差する方向に延びる第２切り欠き部と、を備える請求項１に記載の簡易取り付け区画表示ネット。
【請求項３】
前記複数のフック部材それぞれの前記帯状部材の長手方向に沿う方向の長さは、前記複数の領域における前記帯状部材の長手方向に沿う方向の長さと略等しく構成され、
前記複数の錘部材それぞれの前記帯状部材の長手方向に沿う方向の長さは、前記複数の領域における前記帯状部材の長手方向に沿う方向の長さと略等しい請求項１又は２に記載の簡易取り付け区画表示ネット。
【請求項４】
前記帯状部材の長手方向における一端側及び他端側にそれぞれ設けられた前記一対の支柱それぞれに連結可能な複数の連結部材を更に備える請求項１から３のいずれかに記載の簡易取り付け区画表示ネット。
【発明の詳細な説明】
【技術分野】
【０００１】
本発明は、発電所や変電所等において、作業員が感電しないように、危険区域と安全な作業領域とを区画する簡易取り付け区画表示ネットに関する。
【背景技術】
【０００２】
従来、発電所や変電所等において、作業員が感電しないように、危険区域と安全な作業領域とを区画する帯状の区画表示ネットが知られている。しかし、この区画表示ネットは、ネットが絡んでしまうと、次回使用時に迅速に設置ができなくなってしまうので、収納する際には、ネットが絡まないように一つ一つ丁寧に折りたたむ必要がある。そのため、迅速に片付けができないという問題があった。
【０００３】
このような区画表示ネットを収納する技術として、収納箱に区画表示ネットを収納する技術や、巻き取り用のドラム等に区画表示ネットを巻き取る技術が提案されている。
例えば、特許文献１には、収納箱に区画表示ネットを収納する区画ネット収納装置が提案されている。また、特許文献２には、張設状態から取り外した際にロープ状に復元する剛性を備える作業場区画ネットが提案されている。また、特許文献３には、２本の支柱間にガードを張設するバリケードにおいて、ガードを一方の支柱内に巻き取って収納しうる巻取り式バリケードが提案されている。
【先行技術文献】
【特許文献】
【０００４】
【特許文献１】特開平９−１６５８４８号公報
【特許文献２】特開２０００−９６４０２号公報
【特許文献３】実用新案第３０７３３９１号公報
【発明の概要】
【発明が解決しようとする課題】
【０００５】
しかしながら、特許文献１で提案された区画ネット収納装置は、収納箱の体積が大きいためコンパクトに収納できない。特許文献２で提案された作業場区画ネットは、一つの巻き取り用ドラムに複数の区画表示ネットを連結して巻き取る際に、複数のネットが絡んでしまう場合がある。特許文献３で提案された巻き取り式バリケードは、バリケードの幅が長くなると巻き取り部である支柱の直径が大きくなりコンパクトに収納できない。
【０００６】
本発明は、収納時に、絡むことなく迅速に折り畳むことができ、かつ、コンパクトに収納できる簡易取り付け区画表示ネットを提供することを目的とする。
【課題を解決するための手段】
【０００７】
本発明は、一対の支柱間に架け渡されたひも状部材又は棒状部材に取り付けられる簡易取り付け区画表示ネットであって、横長状の帯状部材と、前記帯状部材の長手方向に所定間隔をあけて設けられ該帯状部材の幅方向に延びて前記帯状部材を複数の領域に区画する複数の線状の区画部材と、前記帯状部材の長手方向に沿う一対の側縁のうちの一方の側縁における前記複数の領域それぞれに、該一方の側縁に沿って取り付けられる複数の板状のフック部材と、前記帯状部材の長手方向に沿う一対の側縁のうちの他方の側縁における前記複数の領域それぞれに、該一方の側縁に沿って取り付けられる複数の板状の錘部材と、を備える簡易取り付け区画表示ネットに関する。
【０００８】
また、前記複数のフック部材それぞれは、矩形板状の本体と、該本体における前記帯状部材の長手方向の一端側に位置する側縁から該帯状部材の長手方向の他端側に延びる第１切り欠き部と、該第１切り欠き部に連続して形成され該第１切り欠き部の延びる方向に交差する方向に延びる第２切り欠き部と、を備えることが好ましい。
【０００９】
また、前記複数のフック部材それぞれの前記帯状部材の長手方向に沿う方向の長さは、前記複数の領域における前記帯状部材の長手方向に沿う方向の長さと略等しく構成され、前記複数の錘部材それぞれの前記帯状部材の長手方向に沿う方向の長さは、前記複数の領域における前記帯状部材の長手方向に沿う方向の長さと略等しいことが好ましい。
【００１０】
また、簡易取り付け区画表示ネットは、前記帯状部材の長手方向における一端側及び他端側にそれぞれ設けられた前記一対の支柱それぞれに連結可能な複数の連結部材を更に備えることが好ましい。
【発明の効果】
【００１１】
本発明の簡易取り付け区画表示ネットによれば、帯状部材に線状の区画部材を設けたことにより、収納時に、絡むことなく迅速に折り畳むことができて、かつ、コンパクトに収納することができる。
【図面の簡単な説明】
【００１２】
【図１】本発明の実施形態に係る簡易取り付け区画表示ネットを示す正面図である。
【図２】本発明の実施形態に係る簡易取り付け区画表示ネットを構成するフック部材を示す正面図である。
【図３】本発明の実施形態に係る簡易取り付け区画表示ネットを折り畳んで、壁掛けフックに掛けることにより収納した状態を示す正面図（ａ）及び側面図（ｂ）である。
【図４】本発明の実施形態に係る簡易取り付け区画表示ネットを構成するフック部材の変形例を示す正面図である。
【図５】本発明の実施形態に係る複数の簡易取り付け区画表示ネットを連結して使用する状態を示す正面図である。
【発明を実施するための形態】
【００１３】
以下、本発明を実施するための実施形態について図面を参照しながら説明する。
図１は、本発明の実施形態に係る簡易取り付け区画表示ネット１を示す正面図である。
図１に示すように、簡易取り付け区画表示ネット１は、一対の支柱６０の間に架け渡されたひも状部材５０や棒状部材（図示せず）に取り付けて使用される。
簡易取り付け区画表示ネット１は、横長上の帯状部材１０と、この帯状部材１０を複数の領域１２に区画する複数の区画部材１１と、これら複数の領域１２それぞれに取り付けられる複数の板状のフック部材２０と、複数の領域１２それぞれに取り付けられる複数の板状の錘部材３０と、帯状部材１０の長手方向における一端側及び他端側にそれぞれ設けられる複数の連結部材４０と、を備える。
【００１４】
帯状部材１０は、複数の開口部を有する網状の部材により構成される。より具体的には、帯状部材１０は、ナイロン等の合成繊維材料により構成され、結節のない無結節網にて編成される。帯状部材の開口部は菱形に編成され一辺の長さは、好ましくは１２ｃｍ〜１８ｃｍである。帯状部材１０の長さは、好ましくは８００〜１２００ｃｍである。また、帯状部材１０の幅は、好ましくは８０〜１００ｃｍである。
【００１５】
複数の区画部材１１は、図１に示すように、帯状部材１０の長手方向に所定間隔をあけて設けられ、帯状部材１０の幅方向に延びている。本実施形態では、複数の区画部材１１それぞれは、複数本のピアノ線がビニールコーティングされた線状の部材により構成されている。区画部材１１を構成するピアノ線の本数は、好ましくは１５〜２０本である。また、ピアノ線の直径は、好ましくは０．１〜０．５ｍｍである。複数の区画部材１１は、帯状部材１０の長手方向に一定の間隔をあけて設けられることが好ましい。本実施形態では、複数の区画部材１１は、帯状部材１０の長手方向に、３０ｃｍの間隔で設けられている。
【００１６】
図２は、フック部材２０の正面図である。
複数のフック部材２０は、帯状部材１０の長手方向に沿う一対の側縁のうちの一方の側縁である上縁に沿って取り付けられる。より具体的には、複数のフック部材２０は、複数の区画部材１１により区画された複数の領域１２それぞれの上縁に取り付けられる。フック部材２０の帯状部材１０の長手方向に沿う方向の長さは、複数の領域１２における帯状部材１０の長手方向に沿う方向の長さと略等しく構成される。フック部材２０の帯状部材１０の長手方向に交差する方向の長さは、好ましくは２０〜３０ｃｍである。
【００１７】
フック部材２０は、図１及び図２に示すように、本体２１と、この本体２１に形成される第１切り欠き部２２及び第２切り欠き部２３と、を備える。本体２１は、矩形板状の外形を有しており、ポリプロピレン等の硬質の合成樹脂により構成される。第１切り欠き部２２は、本体２１における帯状部材１０の長手方向の一端側に位置する側縁から帯状部材１０の長手方向の他端側に延びて形成される。つまり、複数のフック部材が帯状部材１０に取り付けられた状態で、第１切り欠き部２２は、複数の本体２１それぞれの同じ側が切り欠かれて形成される。
第２切り欠き部２３は、第１切り欠き部２２に連続して形成され第１切り欠き部２２の延びる方向に交差する方向に延びる。より具体的には、第２切り欠き部は、本体２１の帯状部材１０の長手方向に沿う方向の長さに対して、略中央に位置する部分から第１切り欠き部２２の延びる方向に対して略垂直、かつ、上方に向けて延びている。第２切り欠き部２３の先端部分は、その幅が先端に向けて除々に狭くなっている。
【００１８】
錘部材３０は、例えば鉄等の金属で形成される矩形板状の部材である。複数の錘部材３０は、帯状部材１０の長手方向に沿う一対の側縁のうちの他方の側縁である下縁に沿って取り付けられる。より具体的には、複数の錘部材３０は、複数の区画部材１１により区画された複数の領域１２それぞれの下縁に取り付けられる。錘部材３０の帯状部材１０の長手方向に沿う方向の長さは、複数の領域１２における帯状部材１０の長手方向に沿う方向の長さと略等しく構成される。錘部材３０の帯状部材１０の長手方向に交差する方向の長さは、好ましくは３〜７ｃｍである。また、複数の錘部材３０それぞれの重さは、好ましくは１５〜３０ｇである。
【００１９】
連結部材４０は、帯状部材１０の長手方向における一端側及び他端側にそれぞれ設けられ、帯状部材１０と一対の支柱６０とを連結する。本実施形態では、連結部材４０は、帯状部材１０の４つの角近傍にそれぞれ設けられている。連結部材４０は、基端側が帯状部材１０に連結されるひも４１と、このひも４１の先端側に取り付けられるフック４２とを備える。ひも４１の長さは、１５ｃｍが適当である。フック４２は、金属製で支柱６０や他のフックに引っ掛けて連結可能な鍵形状に形成される。
【００２０】
次に、本実施形態の簡易取り付け区画表示ネット１の設置方法について図１を参照しながら説明する。
まず、一対の支柱６０を区画したい場所の地面７０に打ち込む。ここで、一対の支柱６０を打ち込む間隔は、帯状部材１０の長手方向の長さより若干広い間隔であることが好ましい。また、地面７０に打ち込まれた状態の支柱６０の地面７０からの高さは、簡易取り付け区画表示ネット１の幅よりも１０ｃｍ程度長い高さであることが適当である。
次に、一対の支柱６０のうちの一方の支柱６０の上端近傍と他方の支柱６０の上端近傍の間にひも状部材５０を張設する。そして、張設されたひも状部材５０に、フック部材２０を端から一つずつ引っ掛ける。ここで、フック部材２０は、フック部材２０の第２切り欠き部２３とひも状部材５０とが係合するようにひも状部材５０に引っ掛けられる。次に、帯状部材１０の両端側に設けられた複数の連結部材４０を一対の支柱６０それぞれに連結する。
【００２１】
次に、本発明の実施形態に係る簡易取り付け区画表示ネット１の収納方法について図３を参照しながら説明する。
簡易取り付け区画表示ネット１を収納する場合には、帯状部材１０を、複数の区画部材１１それぞれを折線として折り返す。ここで、複数の区画部材１１は、複数本のピアノ線がビニールコーティングされた線状の部材により構成されているので、帯状部材１０は、複数の区画部材１１を折線として容易に折り返すことができる。これにより、簡易取り付け区画表示ネット１は、図３に示すとおり、コンパクトに折り畳まれる。また、帯状部材１０を折り畳んだ状態で複数のフック部材２０は、重なり合っている。次に、折り畳まれた簡易取り付け区画表示ネット１の複数のフック部材２０を壁掛けフック８０に通し、簡易取り付け区画表示ネット１を壁に掛ける。ここで、複数のフック部材２０が重なり合った状態では、図３（ａ）に示すように、第１切り欠き部２２の一部及び第２切り欠き部２３も重なり合っているので、複数のフック部材２０を壁掛けフック８０に容易に掛けることができる。
【００２２】
以上の簡易取り付け区画表示ネット１によれば、以下のような効果を奏する。
帯状部材１０に複数の区画部材１１を設けた。これにより、簡易取り付け区画表示ネット１の収納時に、帯状部材１０を区画部材１１に沿って絡むことなく迅速に折り畳むことができ、かつ、コンパクトに収納することができる。
また、区画部材１１を設けることにより、設置時には、均一の高さで帯状部材１０を張設することができる。
【００２３】
また、帯状部材１０に複数の板状のフック部材２０を設け、簡易取り付け区画表示ネット１の設置時には、フック部材２０を一つずつひも状部材５０に引っ掛けるようにした。これにより、簡易取り付け区画表示ネット１の設置を一人で行うことができる。
【００２４】
また、フック部材２０を、第１切り欠き部２２と第２切り欠き部２３とを含んで構成した。これにより、フック部材２０をひも状部材５０に引っ掛ける場合に第２切り欠き部２３とひも状部材５０とを安定的に係合させられる。よって、帯状部材１０が風にあおられた場合等に、簡易取り付け区画表示ネット１がひも状部材５０から外れたり移動したりすることを防止できる。
【００２５】
また、フック部材２０の帯状部材１０の長手方向に沿う方向の長さを、複数の領域１２における帯状部材１０の長手方向に沿う方向の長さと略等しく構成した。これにより、簡易取り付け区画表示ネット１を複数の領域１２における帯状部材１０の長手方向に沿う方向の長さごとに折り返しやすくなっている。よって、簡易取り付け区画表示ネット１を折り畳む際に帯状部材１０が絡むことを防止できる。
【００２６】
なお、複数のフック部材２０のうちの一部のフック部材２０が劣化して破損した場合には、破損したフック部材２０のみを新しいフック部材２０と交換することにより、簡易取り付け区画表示ネット１を引き続き使用することができる。
【００２７】
また、帯状部材１０に複数の錘部材３０を設けた。よって、錘部材３０の重さにより、帯状部材１０が風にあおられて、簡易取り付け区画表示ネット１がひも状部材５０から外れたり移動したりすることを防止できる。
【００２８】
また、錘部材３０の帯状部材１０の長手方向に沿う方向の長さを、複数の領域１２における帯状部材１０の長手方向に沿う方向の長さと略等しく構成した。これにより、簡易取り付け区画表示ネット１を複数の領域１２における帯状部材１０の長手方向に沿う方向の長さごとに折り返しやすくなっている。よって、簡易取り付け区画表示ネット１を折り畳む際に帯状部材１０が絡むことを防止できる。
【００２９】
また、簡易取り付け区画表示ネット１に、帯状部材１０の長手方向における一端側及び他端側にそれぞれ設けられた前記一対の支柱６０それぞれに連結可能な複数の連結部材４０を設けた。これにより、帯状部材１０は支柱６０それぞれに簡易に連結することができる。
【００３０】
以上、本発明の実施形態について説明したが、本発明は上述した実施形態に限るものではない。本発明は、種々の変形や変更が可能であって、それらも本発明の範囲内である。
【００３１】
例えば、本実施形態では、第２切り欠き部２３の先端側の幅が徐々に狭くなった形状のフック部材２０を用いたが、これに限らない。すなわち、図４（ａ）に示すように、第２切り欠き部２３ａの先端を半円状に形成したフック部材２０ａを用いてもよい。
また、簡易取り付け区画表示ネット１を角柱状の棒状部材（図示せず）に取り付ける場合には、図４（ｂ）に示すように、第２切り欠き部２３ｂの先端を矩形形状の形成したフック部材２０ｂを用いてもよい。
【００３２】
また、本実施形態においては、連結部材４０によって帯状部材１０を支柱６０に連結したが、連結部材の使用方法はこれに限られない。すなわち、図５に示すように、複数の簡易取り付け区画表示ネット１を連結部材４０により連結して使用してもよい。
【符号の説明】
【００３３】
１  簡易取り付け区画表示ネット
１０  帯状部材
１１  区画部材
１２  領域
２０  フック部材
２１  本体
２２  第１切り欠き部
２３  第２切り欠き部
３０  錘部材
４０  連結部材
４１  ひも
４２  フック
５０  ひも状部材
６０  支柱
７０  地面
８０  壁掛けフック
【図１】
2011174345.tif 000003
【図２】
2011174345.tif 000004
【図３】
2011174345.tif 000005
【図４】
2011174345.tif 000006
【図５】
2011174345.tif 000007